(57)【要約】【課題】任意の数の負荷を隣接させて同時に使用できるような、複数の負荷と駆動源の新規な接続方法を有する駆動装置を提供する。【解決手段】電源部１の電源部コネクタ３に３本の平行な信号線Ｌ１１〜Ｌ１３を有する第１のケーブルＣ１を介して第１の照明部Ｓ１の第１コネクタ８が接続され、第１の照明部Ｓ１の第２コネクタ９が３本の信号線Ｌ２１〜Ｌ２３を有する第２のケーブルＣ２を介して第２の照明部Ｓ２の第１コネクタ８に接続される。第２のケーブルＣ２の信号線Ｌ２１及びＬ２３は互いに交差しており、第１の照明部Ｓ１及び第２の照明部Ｓ２の面発光装置７の有機ＥＬ素子６のアノード電極はそれぞれ電源部１の電流制御回路Ｄ１及びＤ２の正極に接続される。第１の照明部Ｓ１及び第２の照明部Ｓ２の面発光装置７の有機ＥＬ素子６のカソード電極は電源部１の電流制御回路Ｄ１及び電流制御回路Ｄ２の負極に接続される。【選択図】図１
2006324208.tif 000002
【特許請求の範囲】
【請求項１】
複数の駆動源を有する駆動部により、前記駆動源の数以下である第１〜第ｎの負荷を駆動する駆動装置において、
前記駆動部は、前記第１〜第ｎの負荷にそれぞれ１対１で対応すると共に、対応する負荷に駆動信号を供給するための第１〜第ｎの駆動源を有しており、
前記駆動装置は、前記駆動部から第１〜第ｎ−１の負荷を介して第ｎの負荷までの間を順次接続する第１〜第ｎのケーブルを有しており、１≦ｉ≦ｎとするとき、全てのｉについて、前記駆動部の第ｉの駆動源から第１〜第ｉのケーブルと第１〜第ｉ−１の負荷とを介して第ｉの負荷に駆動信号を供給することにより前記第ｉの負荷を駆動することを特徴とする駆動装置。
【請求項２】
前記第１〜第ｎの負荷は、それぞれ、１個のカソード用ピンと１個のアノード用ピンとｎ−１個の連絡用ピンとを有する第１コネクタ及び第２コネクタと、前記第１コネクタのピンと前記第２コネクタのピンとを１対１に接続する信号線とを有し、
前記第１〜第ｎの負荷は、それぞれ、前記第１コネクタと前記第２コネクタとの間を接続する信号線のうち、前記第１コネクタのカソード用ピン及びアノード用ピンにそれぞれ接続されるカソード線及びアノード線の２本の信号線を介して供給される駆動信号により駆動される請求項１に記載の駆動装置。
【請求項３】
前記第１〜第ｎの負荷は、それぞれ、１個のカソード用ピンと１個のアノード用ピンと２ｎ−２個の連絡用ピンとを有する第１コネクタ及び第２コネクタと、前記第１コネクタのピンと前記第２コネクタのピンとを１対１に接続する信号線とを有し、
前記第１〜第ｎの負荷は、それぞれ、前記第１コネクタと前記第２コネクタとの間を接続する信号線のうち、前記第１コネクタのカソード用ピン及びアノード用ピンにそれぞれ接続されるカソード線及びアノード線の２本の信号線を介して供給される駆動信号により駆動される請求項１に記載の駆動装置。
【請求項４】
前記第１〜第ｎの負荷では、それぞれ、第（ｎ＋１）ピンがカソード用ピンであり、１≦ｊ≦（ｎ＋１）とするとき、全てのｊについて、前記第１コネクタの第ｊピンと前記第２コネクタの第ｊピンとが信号線によって接続され、
前記第２〜第ｎのケーブルは、それぞれ、１つの負荷の第２コネクタのカソード用ピンと別の負荷の第１コネクタのカソード用ピンとを接続する１本の信号線と、１≦ｋ≦（ｎ−１）とするとき、全てのｋについて、前記１つの負荷の第２コネクタの第（ｋ＋１）ピンと前記別の負荷の第１コネクタの第ｋピンとを接続するｎ−１本の信号線と、前記１つの負荷の第２コネクタの第１ピンと前記別の負荷の第１コネクタの第ｎピンとを接続する１本の信号線とを有する請求項２に記載の駆動装置。
【請求項５】
前記第１〜第ｎの負荷は、それぞれ、第１コネクタ及び第２コネクタの第（ｎ＋１）ピンがカソード用ピンであり、前記第１コネクタのカソード用ピンと前記第２コネクタのカソード用ピンとを接続する１本の信号線と、１≦ｊ≦（ｎ−１）とするとき、全てのｊについて、前記第１コネクタの第（ｊ＋１）ピンと前記第２コネクタの第ｊピンとを接続するｎ−１本の信号線と、前記第１コネクタの第１ピンと前記第２コネクタの第ｎピンとを接続する１本の信号線とを有し、
前記第２〜第ｎのケーブルは、それぞれ、１≦ｋ≦（ｎ＋１）とするとき、全てのｋについて、前記１つの負荷の第２コネクタの第ｋピンと前記別の負荷の第１コネクタの第ｋピンとを接続する信号線を有する請求項２に記載の駆動装置。
【請求項６】
前記第１〜第ｎの負荷では、それぞれ、１≦ｊ≦２ｎとするとき、全てのｊについて、前記第１コネクタの第ｊピンと前記第２コネクタの第ｊピンとが信号線により接続され、前記第１ピン〜前記第ｎピンのいずれか１つのピンがアノード用ピンであり、前記第（ｎ＋１）ピン〜第２ｎピンのいずれか１つのピンがカソード用ピンであり、
前記第２〜第ｎのケーブルは、それぞれ、１≦ｋ≦（ｎ−１）とするとき、全てのｋについて、前記１つの負荷の第２コネクタの第（ｋ＋１）ピンと前記別の負荷の第１コネクタの第ｋピンとを接続するｎ−１本の信号線と、前記１つの負荷の第２コネクタの第１ピンと前記別の負荷の第１コネクタの第ｎピンとを接続する１本の信号線とを有し、更に、（ｎ＋１）≦ｐ≦（２ｎ−１）とするとき、全てのｐについて、前記１つの負荷の第２コネクタの第（ｐ＋１）ピンと前記別の負荷の第１コネクタの第ｐピンとを接続するｎ−１本の信号線と、前記１つの負荷の第２コネクタの第（ｎ＋１）ピンと前記別の負荷の第１コネクタの第２ｎピンとを接続する１本の信号線とを有する請求項３に記載の駆動装置。
【請求項７】
前記第１〜第ｎの負荷は、それぞれ、１≦ｊ≦（ｎ−１）とするとき、全てのｊについて、前記第１コネクタの第（ｊ＋１）ピンと前記第２コネクタの第ｊピンとを接続するｎ−１本の信号線と、前記第１コネクタの第１ピンと前記第２コネクタの第ｎピンとを接続する１本の信号線とを有し、更に、（ｎ＋１）≦ｋ≦（２ｎ−１）とするとき、全てのｋについて、前記第１コネクタの第（ｋ＋１）ピンと前記第２コネクタの第ｋピンとを接続するｎ−１本の信号線と、前記第１コネクタの第（ｎ＋１）ピンと前記第２コネクタの第２ｎピンとを接続する１本の信号線とを有し、
前記第２〜第ｎのケーブルは、それぞれ、１≦ｐ≦２ｎとするとき、全てのｐについて、前記１つの負荷の第２コネクタの第ｐピンと前記別の負荷の第１コネクタの第ｐピンとを接続する信号線を有する請求項３に記載の駆動装置。
【請求項８】
前記第１〜第ｎの負荷の間を接続する、前記第２〜第ｎのケーブルは、それぞれ、前記１つの負荷の第２コネクタのアノード用ピンを除くピンを前記別の負荷の第１コネクタのピンに接続する請求項２に記載の駆動装置。
【請求項９】
前記第１〜第ｎの負荷の間を接続する、前記第２〜第ｎのケーブルは、それぞれ、前記１つの負荷の第２コネクタのアノード用ピン及びカソード用ピンを除くピンを前記別の負荷の第１コネクタのピンに接続する請求項３に記載の駆動装置。
【請求項１０】
第１〜第ｎの負荷は、それぞれ面発光装置を備えた照明部であり、
前記駆動部の第１〜第ｎの駆動源は、それぞれ対応する第１〜第ｎの負荷に電力を供給する電源回路である請求項１〜９のいずれか一項に記載の駆動装置。
【請求項１１】
前記面発光装置は有機エレクトロルミネッセンス素子を有し、
前記電源回路は対応する照明部の有機エレクトロルミネッセンス素子に定電流を供給する電流制御回路である請求項１０に記載の駆動装置。
【請求項１２】
第１〜第ｎの負荷は、それぞれスピーカであり、
前記駆動部の第１〜第ｎの駆動源は、それぞれ対応する第１〜第ｎの負荷に音声信号を供給する増幅回路である請求項１〜９のいずれか一項に記載の駆動装置。
【請求項１３】
複数の駆動源を有する駆動部により、前記駆動源の数以下である第１〜第ｎの負荷を駆動する駆動装置の接続方法において、
前記駆動部は、前記第１〜第ｎの負荷にそれぞれ１対１で対応すると共に、対応する負荷に駆動信号を供給するための第１〜第ｎの駆動源を有しており、
前記駆動装置は、前記駆動部から第１〜第ｎ−１の負荷を介して第ｎの負荷までの間を順次接続する第１〜第ｎのケーブルを有しており、
１≦ｉ≦ｎとするとき、全てのｉについて、前記駆動部の第ｉの駆動源から第１〜第ｉのケーブルと第１〜第ｉ−１の負荷とを介して第ｉの負荷に駆動信号を供給することにより前記第ｉの負荷を駆動することを特徴とする駆動装置の接続方法。
【発明の詳細な説明】
【技術分野】
【０００１】
この発明は、複数の負荷を駆動する駆動装置及びその駆動装置の接続方法に関する。
【背景技術】
【０００２】
有機エレクトロルミネッセンス装置（以下、エレクトロルミネッセンスを適宜ＥＬと記載する。）は、自己発光を行い、高輝度の画面を得ることができるため、薄型、軽量の携帯機器等のディスプレイや照明装置として広く実用化が進められている。この有機ＥＬ装置は、例えば、基板上に、ＩＴＯなどの光透過性を有する透明電極層とＡｌなどの光反射性を有する反射電極層とこれら電極層の間に挟まれた発光層を有する有機層とから構成される有機ＥＬ素子が形成された構造を有しており、発光層で発せられた光が直接透明電極層を透過して、あるいは一旦反射電極層で反射した後に透明電極層を透過して取り出される。
ここで、有機ＥＬ素子は、駆動電流によってその輝度及び色度が決定されるという特性を有している。このため、例えば特許文献１に記載のように、有機ＥＬ素子を定電流で駆動することで、輝度及び色度の均一化を図ることが行われている。
【０００３】
【特許文献１】特開２００４−８５７５１号公報
【発明の開示】
【発明が解決しようとする課題】
【０００４】
しかしながら、例えば、複数の有機ＥＬ装置を隣接させた状態で同時に表示や照明を行う場合において、複数の有機ＥＬ装置にそれぞれ駆動源を電源ケーブルで接続して各駆動源から対応する有機ＥＬ装置に定電流を供給しようとすると、使用する有機ＥＬ装置の個数に合わせて駆動源と電源ケーブルの数も増えることになってしまい、装置使用環境が雑然となってしまう。
また、上記の場合において、有機ＥＬ装置を定電流駆動するために駆動源の数を１つにして複数の有機ＥＬ装置を直列に接続して使用すると、複数の有機ＥＬ装置の間をつなぐ電源ケーブルの１つが切断された場合に、残りの有機ＥＬ装置に過電流が流れて有機ＥＬ素子の劣化が進んでしまうという問題が発生する。
【０００５】
この発明は、このような従来の問題点を解消するためになされたもので、負荷と駆動源とを繋ぐケーブルが雑然とならない状態で、任意の数の負荷を隣接させて同時に使用できるような、複数の負荷と駆動源との新規な接続方法を有する駆動装置を提供することを目的とする。
【課題を解決するための手段】
【０００６】
この発明に係る駆動装置は、複数の駆動源を有する駆動部により、駆動源の数以下である第１〜第ｎの負荷を駆動する駆動装置であって、駆動部は、第１〜第ｎの負荷にそれぞれ１対１で対応すると共に対応する負荷に駆動信号を供給するための第１〜第ｎの駆動源を有しており、駆動装置は、駆動部から第１〜第ｎ−１の負荷を介して第ｎの負荷までの間を順次接続する第１〜第ｎのケーブルを有しており、１≦ｉ≦ｎとするとき、全てのｉについて、駆動部の第ｉの駆動源から第１〜第ｉのケーブルと第１〜第ｉ−１の負荷とを介して第ｉの負荷に駆動信号を供給することにより第ｉの負荷を駆動するものである。
【０００７】
このとき、第１〜第ｎの負荷は、それぞれ、１個のカソード用ピンと１個のアノード用ピンとｎ−１個の連絡用ピンとを有する第１コネクタ及び第２コネクタと、第１コネクタのピンと第２コネクタのピンとを１対１に接続する信号線とを有しており、第１〜第ｎの負荷は、それぞれ、第１コネクタと第２コネクタとの間を接続する信号線のうち、第１コネクタのカソード用ピン及びアノード用ピンにそれぞれ接続されるカソード線及びアノード線の２本の信号線を介して供給される駆動信号により駆動されるように構成することができる。
また、第１〜第ｎの負荷は、それぞれ、１個のカソード用ピンと１個のアノード用ピンと２ｎ−２個の連絡用ピンとを有する第１コネクタ及び第２コネクタと、第１コネクタのピンと第２コネクタのピンとを１対１に接続する信号線とを有しており、第１〜第ｎの負荷は、それぞれ、第１コネクタと第２コネクタとの間を接続する信号線のうち、第１コネクタのカソード用ピン及びアノード用ピンにそれぞれ接続されるカソード線及びアノード線の２本の信号線を介して供給される駆動信号により駆動されるように構成することもできる。
【０００８】
そして、第１〜第ｎの負荷では、それぞれ、第（ｎ＋１）ピンがカソード用ピンであり、１≦ｊ≦ｎとするとき、全てのｊについて、第１コネクタの第ｊピンと第２コネクタの第ｊピンとが信号線によって接続されており、第２〜第ｎのケーブルは、それぞれ、１つの負荷の第２コネクタのカソード用ピンと別の負荷の第１コネクタのカソード用ピンとを接続する１本の信号線と、１≦ｋ≦（ｎ−１）とするとき、全てのｋについて、１つの負荷の第２コネクタの第（ｋ＋１）ピンと別の負荷の第１コネクタの第ｋピンとを接続するｎ−１本の信号線と、１つの負荷の第２コネクタの第１ピンと別の負荷の第１コネクタの第ｎピンとを接続する１本の信号線とを有する構成とすることができる。
または、第１〜第ｎの負荷は、それぞれ、第１コネクタ及び第２コネクタの第（ｎ＋１）ピンがカソード用ピンであり、第１コネクタのカソード用ピンと第２コネクタのカソード用ピンとを接続する１本の信号線と、１≦ｊ≦（ｎ−１）とするとき、全てのｊについて、第１コネクタの第（ｊ＋１）ピンと第２コネクタの第ｊピンとを接続するｎ−１本の信号線と、第１コネクタの第１ピンと第２コネクタの第ｎピンとを接続する１本の信号線とを有しており、第２〜第ｎのケーブルは、それぞれ、１≦ｋ≦（ｎ＋１）とするとき、全てのｋについて、１つの負荷の第２コネクタの第ｋピンと別の負荷の第１コネクタの第ｋピンとを接続する信号線を有する構成としてもよい。
【０００９】
さらに、第１〜第ｎの負荷では、それぞれ、１≦ｊ≦２ｎとするとき、全てのｊについて、第１コネクタの第ｊピンと第２コネクタの第ｊピンとが信号線により接続され、第１ピン〜第ｎピンのいずれか１つのピンがアノード用ピンであり、第（ｎ＋１）ピン〜第２ｎピンのいずれか１つのピンがカソード用ピンであり、第２〜第ｎのケーブルは、それぞれ、１≦ｋ≦（ｎ−１）とするとき、全てのｋについて、１つの負荷の第２コネクタの第（ｋ＋１）ピンと別の負荷の第１コネクタの第ｋピンとを接続するｎ−１本の信号線と、１つの負荷の第２コネクタの第１ピンと別の負荷の第１コネクタの第ｎピンとを接続する１本の信号線とを有し、更に、（ｎ＋１）≦ｐ≦（２ｎ−１）とするとき、全てのｐについて、１つの負荷の第２コネクタの第（ｐ＋１）ピンと別の負荷の第１コネクタの第ｐピンとを接続するｎ−１本の信号線と、１つの負荷の第２コネクタの第（ｎ＋１）ピンと別の負荷の第１コネクタの第２ｎピンとを接続する１本の信号線とを有する構成としてもよい。
あるいは、第１〜第ｎの負荷は、それぞれ、１≦ｊ≦（ｎ−１）とするとき、全てのｊについて、第１コネクタの第（ｊ＋１）ピンと第２コネクタの第ｊピンとを接続するｎ−１本の信号線と、第１コネクタの第１ピンと第２コネクタの第ｎピンとを接続する１本の信号線とを有し、更に、（ｎ＋１）≦ｋ≦（２ｎ−１）とするとき、全てのｋについて、第１コネクタの第（ｋ＋１）ピンと第２コネクタの第ｋピンとを接続するｎ−１本の信号線と、第１コネクタの第（ｎ＋１）ピンと第２コネクタの第２ｎピンとを接続する１本の信号線とを有し、第２〜第ｎのケーブルは、それぞれ、１≦ｐ≦２ｎとするとき、全てのｐについて、１つの負荷の第２コネクタの第ｐピンと別の負荷の第１コネクタの第ｐピンとを接続する信号線を有する構成としてもよい。
【００１０】
なお、第１〜第ｎの負荷の間を接続する、第２〜第ｎのケーブルは、それぞれ、１つの負荷の第２コネクタのアノード用ピンを除くピンを別の負荷の第１コネクタのピンに接続するものであってもよい。
または、第１〜第ｎの負荷の間を接続する、第２〜第ｎのケーブルは、それぞれ、１つの負荷の第２コネクタのアノード用ピンとカソード用ピンを除くピンを別の負荷の第１コネクタのピンに接続するものであってもよい。
【００１１】
なお、複数の駆動源を有する駆動部により、駆動源の数以下である第１〜第ｎの負荷を駆動する第１〜第ｎの負荷を、それぞれ面発光装置を備えた照明部とし、駆動部の第１〜第ｎの駆動源を、それぞれ対応する第１〜第ｎの負荷に電力を供給する電源回路とすることができる。さらに、面発光装置が有機エレクトロルミネッセンス素子を有し、各電源回路を対応する照明部の有機エレクトロルミネッセンス素子に定電流を供給する電流制御回路としてもよい。
また、第１〜第ｎの負荷を、それぞれスピーカとし、駆動部の第１〜第ｎの駆動源を、それぞれ対応する第１〜第ｎの負荷に音声信号を供給する増幅回路とすることもできる。
そして、上記のような駆動装置の接続方法として、駆動部は、前記第１〜第ｎの負荷にそれぞれ１対１で対応すると共に、対応する負荷に駆動信号を供給するための第１〜第ｎの駆動源を有しており、駆動装置は、駆動部から第１〜第ｎ−１の負荷を介して第ｎの負荷までの間を順次接続する第１〜第ｎのケーブルを有しており、１≦ｉ≦ｎとするとき、全てのｉについて、駆動部の第ｉの駆動源から第１〜第ｉのケーブルと第１〜第ｉ−１の負荷とを介して第ｉの負荷に駆動信号を供給することにより第ｉの負荷を駆動することを特徴とする駆動装置の接続方法を用いることができる。
【発明の効果】
【００１２】
この発明によれば、複数の駆動源を有する１つの駆動部と第１〜第ｎの負荷とが数珠繋ぎとされ、第１〜第ｎの負荷は、それぞれの負荷に１対１で対応する駆動源により駆動されるため、負荷と駆動源とを繋ぐケーブルが雑然とならない状態で任意の数の負荷を隣接させて同時に使用できるような、複数の負荷と駆動源の新規な接続方法を有する駆動装置を提供することが可能となる。
【発明を実施するための最良の形態】
【００１３】
以下、この発明の実施の形態を添付図面に基づいて説明する。
実施の形態１
図１に実施の形態１に係る照明装置を示す。この実施の形態１では、駆動源の数は２つであり、接続できる負荷の最大数が２となっている。図１に示されるように、電源部１に第１のケーブルＣ１を介して第１の照明部Ｓ１が接続され、さらに第１の照明部Ｓ１に第２のケーブルＣ２を介して第２の照明部Ｓ２が接続されている。
電源部１は、第１の照明部Ｓ１に対応した電流制御回路Ｄ１と第２の照明部Ｓ２に対応した電流制御回路Ｄ２とを有しており、これら電流制御回路Ｄ１及びＤ２にＡＣ／ＤＣコンバータ２を介して商用電源が接続される。また、電源部１は、３ピン構成の電源部コネクタ３を有しており、１番ピンに電流制御回路Ｄ１の正極が、２番ピンに電流制御回路Ｄ１及びＤ２の負極が、３番ピンに電流制御回路Ｄ２の正極がそれぞれ接続されている。（この実施の形態１では、１番ピンが第１ピン、２番ピンが第３ピン、３番ピンが第２ピンである。）また、電流制御回路Ｄ１及びＤ２に第１の照明部Ｓ１及び第２の照明部Ｓ２による照明のＯＮ／ＯＦＦを行うと共に輝度を調整するための調節スイッチ４が接続されている。
【００１４】
第１の照明部Ｓ１及び第２の照明部Ｓ２は互いに同一の構成を有しており、筐体５内に６個の有機エレクトロルミネッセンス（以下適宜ＥＬと称する。）素子６を有する面発光装置７を備えている。さらに、筐体５の一端に３ピン構成の第１コネクタ８が、筐体５の他端に同じく３ピン構成の第２コネクタ９がそれぞれ配設されている。ここで、有機ＥＬ素子６には、陽極層（アノード電極）と、陰極層（カソード電極）と、これら両電極層に挟まれる発光層としての有機層とを有するような公知の構成のものを用いることができる。
第１コネクタ８の１番ピン及び第２コネクタ９の１番ピンはそれぞれアノード用ピンとして用いられ、これらアノード用ピンが筐体５内でアノード線ＬＡにより互いに接続されると共に、アノード線ＬＡに面発光装置７の各有機ＥＬ素子６のアノード電極が接続されている。
一方、第１コネクタ８の２番ピン及び第２コネクタ９の２番ピンはそれぞれカソード用ピンとして用いられ、これらカソード用ピンが筐体５内でカソード線ＬＣにより互いに接続されると共に、カソード線ＬＣに面発光装置７の各有機ＥＬ素子６のカソード電極が接続されている。
また、第１コネクタ８の３番ピン及び第２コネクタ９の３番ピンはそれぞれ他の照明部のための連絡用ピンとして用いられ、これら連絡用ピンが筐体５内で連絡用信号線ＬＭにより互いに接続されている。
【００１５】
電源部１の電源部コネクタ３と第１の照明部Ｓ１の第１コネクタ８とを接続する第１のケーブルＣ１は３本の平行な信号線Ｌ１１〜Ｌ１３からなり、これらの信号線Ｌ１１〜Ｌ１３により電源部コネクタ３の１番ピン〜３番ピンが第１の照明部Ｓ１の第１コネクタ８の１番ピン〜３番ピンにそれぞれ接続されている。
一方、第１の照明部Ｓ１の第２コネクタ９と第２の照明部Ｓ２の第１コネクタ８とを接続する第２のケーブルＣ２も３本の信号線Ｌ２１〜Ｌ２３からなり、これらのうち１本の信号線Ｌ２２によって第１の照明部Ｓ１の第２コネクタ９のカソード用ピンである２番ピンと第２の照明部Ｓ２の第１コネクタ８のカソード用ピンである２番ピンとが互いに接続されている。ただし、残りの２本の信号線Ｌ２１及びＬ２３は互いに交差しており、第１の照明部Ｓ１の第２コネクタ９のアノード用ピンである１番ピンは信号線Ｌ２１により第２の照明部Ｓ２の第１コネクタ８の連絡用ピンである３番ピンに接続され、第１の照明部Ｓ１の第２コネクタ９の連絡用ピンである３番ピンは信号線Ｌ２３により第２の照明部Ｓ２の第１コネクタ８のアノード用ピンである１番ピンに接続されている。
【００１６】
以上のような構成の第１の照明部Ｓ１及び第２の照明部Ｓ２と第１のケーブルＣ１及び第２のケーブルＣ２を使用することにより、第１の照明部Ｓ１の面発光装置７の各有機ＥＬ素子６のアノード電極は、第１の照明部Ｓ１のアノード線ＬＡ、第１の照明部Ｓ１の第１コネクタ８の１番ピン、第１のケーブルＣ１の信号線Ｌ１１及び電源部コネクタ３の１番ピンを介して電源部１の電流制御回路Ｄ１の正極に接続される。一方、第２の照明部Ｓ２の面発光装置７の各有機ＥＬ素子６のアノード電極は、第２の照明部Ｓ２のアノード線ＬＡ、第２の照明部Ｓ２の第１コネクタ８の１番ピン、第２のケーブルＣ２の信号線Ｌ２３、第１の照明部Ｓ１の第２コネクタ９の３番ピン、第１の照明部Ｓ１の連絡用信号線ＬＭ、第１の照明部Ｓ１の第１コネクタ８の３番ピン、第１のケーブルＣ１の信号線Ｌ１３及び電源部コネクタ３の３番ピンを介して電源部１の電流制御回路Ｄ２の正極に接続される。
【００１７】
また、第１の照明部Ｓ１の面発光装置７の各有機ＥＬ素子６のカソード電極と第２の照明部Ｓ２の面発光装置７の各有機ＥＬ素子６のカソード電極は、第１の照明部Ｓ１のカソード線ＬＣ、第１の照明部Ｓ１の第２コネクタ９の２番ピン、第２のケーブルＣ２の信号線Ｌ２２、第２の照明部Ｓ２の第１コネクタ８の２番ピン及び第２の照明部Ｓ２のカソード線ＬＣを介して互いに接続され、さらに第１の照明部Ｓ１の第１コネクタ８の２番ピン、第１のケーブルＣ１の信号線Ｌ１２及び電源部コネクタ３の２番ピンを介して電源部１の電流制御回路Ｄ１及び電流制御回路Ｄ２の負極に接続される。
【００１８】
このため、第１の照明部Ｓ１の面発光装置７に電源部１の電流制御回路Ｄ１から、第２の照明部Ｓ２の面発光装置７に電源部１の電流制御回路Ｄ２から、それぞれ独立して定電流を供給してこれら面発光装置７を発光させることができる。なお、電源部１の調節スイッチ４を操作することにより、双方の照明部Ｓ１及びＳ２の面発光装置７の各有機ＥＬ素子６のＯＮ／ＯＦＦ制御と輝度の調整がなされる。
【００１９】
このように、第１のケーブルＣ１と第２のケーブルＣ２を用いて電源部１に第１の照明部Ｓ１と第２の照明部Ｓ２を数珠繋ぎに接続するので、ケーブルの配線が簡単化されている。
なお、第１の照明部Ｓ１と第２の照明部Ｓ２は、互いに共通の構成を有しているので、これら照明部の配置の順序を考慮する必要はない。すなわち、第１のケーブルＣ１、第２の照明部Ｓ２、第２のケーブルＣ２及び第１の照明部Ｓ１の順序で接続してもよい。
【００２０】
また、電源部１と第１の照明部Ｓ１及び第２の照明部Ｓ２の接続に際し、各照明部Ｓ１及びＳ２の第１コネクタ８と第２コネクタ９の接続の順序を考慮する必要もない。例えば、第１の照明部Ｓ１の第２コネクタ９に第１のケーブルＣ１を接続すると共に第１コネクタ８に第２のケーブルＣ２を接続してもよい。同様に、第２のケーブルＣ２を第２の照明部Ｓ２の第２コネクタ９に接続することもできる。従って、各照明部Ｓ１及びＳ２の配置の自由度が向上し、各照明部Ｓ１及びＳ２の配置を変えた場合に必要に応じて第１のケーブルＣ１及び第２のケーブルＣ２に接続される第１コネクタ８と第２コネクタ９を交換することにより、第１のケーブルＣ１と第２のケーブルＣ２がからむような不具合を回避することができる。
さらに、電源部１と照明部Ｓ１を接続する第１のケーブルＣ１は、第２のケーブルＣ２と同様の構成であってもよい。つまり、信号線Ｌ１１と信号線Ｌ１３とが交差するようなケーブルであってもよい。この構成の第１のケーブルＣ１を使用した場合は、第１のケーブルＣ１と第２のケーブルＣ２を入れ替えることが可能となり、接続の自由度がさらに広がる。また、各ケーブルＣ１，Ｃ２は対称の構成となっているため、照明部への接続向きに制限を受けないという利点も発生する。
上記のような構成の照明装置を用いることで、装置の使用中において、第２のケーブルＣ２を切断して第２の照明部Ｓ２を装置から切り離したとしても、各照明部Ｓ１，Ｓ２に対応する駆動源である電流制御回路Ｄ１，Ｄ２はそれぞれ独立しているため、第１の照明部Ｓ１に過電流が流れて有機ＥＬ素子が劣化してしまうという問題は発生しない。
また、第１の照明部Ｓ１を単独で使用している場合において、第２のケーブルＣ２を介して第２の照明部Ｓ２を第１の照明部Ｓ１に接続して駆動させたとしても、各照明部Ｓ１，Ｓ２に対応する駆動源である電流制御回路Ｄ１，Ｄ２はそれぞれ独立しているため、第１の照明部Ｓ１に流れる電流が変化することはない。
つまり、第１の照明部Ｓ１に影響を与えることなく、第２の照明部を接続したり、切り離したりすることができる。
なお、この実施の形態１において、照明装置は電源部１に対して照明部を２つ接続して使用する場合に限らず、例えば、第１の照明部Ｓ１のみを接続して使用することも可能である。
【００２１】
実施の形態２
図２に実施の形態２に係る照明装置を示す。この実施の形態２は、電源部１によってｎ個の照明部Ｓ１〜Ｓｎを駆動するようにしたもので、電源部１から第１〜第ｎ−１の照明部Ｓ１〜Ｓｎ−１を介して第ｎの照明部Ｓｎまでの間を第１〜第ｎのケーブルＣ１〜Ｃｎで順次接続している。
【００２２】
電源部１は、第１〜第ｎの照明部Ｓ１〜Ｓｎにそれぞれ対応する電流制御回路Ｄ１〜Ｄｎを有しており、これら電流制御回路Ｄ１〜Ｄｎの正極がそれぞれ電源部コネクタ３の第１〜第ｎピンに接続されている。また、電流制御回路Ｄ１〜Ｄｎの負極は互いに電気的に連結されて電源部コネクタ３の第（ｎ＋１）ピンに接続されている。なお、図示しないが、実施の形態１と同様に、電源部１は電流制御回路Ｄ１〜Ｄｎに接続されたＡＣ／ＤＣコンバータ２及び調節スイッチ４を有している。
【００２３】
照明部Ｓ１〜Ｓｎは、互いに同一の構成を有している。１≦ｉ≦ｎとするとき、全てのｉについて、照明部Ｓｉは、図３に示されるように、面発光装置７を備えると共にそれぞれ（ｎ＋１）ピン構成の第１コネクタ８と第２コネクタ９を備えている。なお、図示されていないが、実施の形態１と同様に、面発光装置７は例えば６個の有機ＥＬ素子を有している。
第１コネクタ８の第１ピンＰＡ１及び第２コネクタ９の第１ピンＰＢ１はアノード用ピンとして用いられ、これらアノード用ピンがアノード線ＬＡにより互いに接続されると共に、アノード線ＬＡに面発光装置７の各有機ＥＬ素子のアノード電極が接続されている。
一方、第１コネクタ８の第（ｎ＋１）ピンＰＡｎ＋１及び第２コネクタ９の第（ｎ＋１）ピンＰＢｎ＋１はそれぞれカソード用ピンとして用いられ、これらカソード用ピンがカソード線ＬＣにより互いに接続されると共に、カソード線ＬＣに面発光装置７の各有機ＥＬ素子のカソード電極が接続されている。
【００２４】
また、第１コネクタ８の第２ピンＰＡ２〜第ｎピンＰＡｎ及び第２コネクタ９の第２ピンＰＢ２〜第ｎピンＰＢｎはそれぞれ他の照明部のための連絡用ピンとして用いられ、互いに対応する第１コネクタ８の連絡用ピンと第２コネクタ９の連絡用ピンがそれぞれ連絡用信号線ＬＭにより互いに接続されている。
すなわち、第１〜第ｎの負荷では、それぞれ、１≦ｊ≦（ｎ＋１）とするとき、全てのｊについて、第１コネクタの第ｊピンと第２コネクタの第ｊピンとが信号線によって接続されている。
【００２５】
電源部１の電源部コネクタ３と第１の照明部Ｓ１の第１コネクタ８とを接続する第１のケーブルＣ１はｎ＋１本の信号線からなり、これらの信号線により電源部コネクタ３の第１ピン〜第（ｎ＋１）ピンが第１の照明部Ｓ１の第１コネクタ８の第１ピンＰＡ１〜第（ｎ＋１）ピンＰＡｎ＋１にそれぞれ接続されている。
【００２６】
一方、第１の照明部Ｓ１から第ｎの照明部Ｓｎまでの間を順次接続する第２〜第ｎのケーブルＣ２〜Ｃｎは、互いに同一の構成を有している。２≦ｉ≦ｎとすると、すべてのｉについて、第ｉのケーブルＣｉは、図４に示されるように、ｎ＋１本の信号線Ｌ１〜Ｌｎ＋１からなり、それらの信号線のうち第（ｎ＋１）の信号線Ｌｎ＋１は、第（ｉ−１）の照明部Ｓｉ−１の第２コネクタ９のカソード用ピンである第（ｎ＋１）ピンＰＢｎ＋１を第ｉの照明部Ｓｉの第１コネクタ８のカソード用ピンである第（ｎ＋１）ピンＰＡｎ＋１に接続するものである。また、第ｉのケーブルＣｉは、第（ｉ−１）の照明部Ｓｉ−１の第２コネクタ９の第２〜第ｎピンＰＢ２〜ＰＢｎを第ｉの照明部Ｓｉの第１コネクタ８の第１〜第（ｎー１）ピンＰＡ１〜ＰＡｎ−１に接続する信号線を有し、第（ｉ−１）の照明部Ｓｉ−１の第２コネクタ９の第１ピンＰＢ１を第ｉの照明部Ｓｉの第１コネクタ８の第ｎピンＰＡｎに接続する信号線を有している。
すなわち、第２〜第ｎのケーブルＣ１〜Ｃｎは、１≦ｋ≦（ｎ−１）とするとき、全てのｋについて、１つの照明部の第２コネクタ９の第（ｋ＋１）ピンと別の照明部の第１コネクタ８の第ｋピンとを接続するｎ−１本の信号線と、前記１つの照明部の第２コネクタ９の第１ピンと前記別の照明部の第１コネクタ８の第ｎピンとを接続する１本の信号線と、前記１つの照明部の第２コネクタ９の第（ｎ＋１）ピンと前記別の照明部の第１コネクタ８の第（ｎ＋１）ピンとを接続する１本の信号線とを有する。
【００２７】
以上のような構成のｎ個の照明部Ｓ１〜Ｓｎとｎ本のケーブルＣ１〜Ｃｎを使用することにより、１≦ｉ≦ｎとすると、全てのｉについて、第ｉの照明部Ｓｉの面発光装置７の各有機ＥＬ素子のアノード電極は、第１〜第ｉのケーブルＣ１〜Ｃｉと第１〜第ｉ−１の照明部Ｓ１〜Ｓｉ−１を介して電源部１の第ｉの電流制御回路Ｄｉの正極に接続される。
また、照明部Ｓ１〜Ｓｎの全ての面発光装置７の有機ＥＬ素子のカソード電極は、各照明部のカソード線ＬＣと各ケーブルの第（ｎ＋１）の信号線Ｌｎ＋１を介して電源部１の第１〜ｎの電流制御回路Ｄ１〜Ｄｎの負極に接続される。
このため、第ｉの照明部Ｓｉの面発光装置７に電源部１の電流制御回路Ｄｉから独立して定電流を供給して発光させることができる。
【００２８】
なお、第１〜第ｎの照明部Ｓ１〜Ｓｎは互いに共通の構成を有しており、照明部の配置の順序を考慮する必要はなく、また各照明部の第１コネクタ８と第２コネクタ９の接続の順序を考慮する必要もない。従って、各照明部Ｓ１〜Ｓｎの配置の自由度が向上する。ただし、この実施の形態２の場合、第２〜第ｎのケーブルＣ２〜Ｃｎは、上記実施の形態１のケーブルのように対称の構造になっていないため、照明部Ｓ１〜Ｓｎを接続する際には、電源部１に対して第２〜第ｎのケーブルＣ２〜Ｃｎの接続方向が同じになるように、ケーブルの接続向きに注意する必要がある。
実施の形態１と同様に、上記のような構成の照明装置を用いることで、装置の使用中において、１≦ｉ≦ｎとすると、全てのｉについて、第ｉのケーブルＣｉを切断して第ｉの照明部Ｓｉ〜第ｎの照明部Ｓｎを切り離したとしても、各照明部に対応する駆動源である電流制御回路はそれぞれ独立しているため、使用中の照明部に過電流が流れて有機ＥＬ素子が劣化してしまうという問題は発生しない。
また、ｒ個の照明部を電源部１に接続して使用している場合に、第（ｒ＋１）のケーブルＣｒ＋１を介して第（ｒ＋１）の照明部Ｓｒ＋１を照明部Ｓｒに接続したとしても、各照明部に対応する駆動源である電流制御回路はそれぞれ独立しているため、使用中の照明部の電流が変化してしまうというような問題は発生しない。
つまり、使用中の照明部に影響を与えることなく、任意の数の照明部を接続して駆動したり、切り離したりすることができる。ただし、電源部１に接続できる照明部の総数は電源部１の電流制御回路の数以下である。
なお、この実施の形態２において、照明装置は、ｎ個の電流制御回路を持つ電源部１に対して照明部をｎ個接続して使用する場合に限らず、電流制御回路の数ｎ個以下であれば任意の数の照明部を接続して使用できる。例えば、照明部Ｓ１のみを接続して使用することも可能である。
【００２９】
実施の形態３
図５に実施の形態３に係る照明装置を示す。上述した実施の形態２においては、各照明部の間を接続する第２〜第ｎのケーブルＣ１〜Ｃｎとして、それぞれ、１つの照明部の第２コネクタ９のカソード用ピンと別の照明部の第１コネクタ８のカソード用ピンとを接続する１本の信号線と、１≦ｊ≦（ｎ−１）とするとき、全てのｊについて、前記１つの照明部の第２コネクタ９の第（ｊ＋１）ピンと前記別の照明部の第１コネクタ８の第ｊピンとを接続するｎ−１本の信号線と、前記１つの照明部の第２コネクタ９の第１ピンと前記別の照明部の第１コネクタ８の第ｎピンとを接続する１本の信号線とを有するケーブルを用いることにより、１≦ｉ≦ｎとして、全てのｉについて、第ｉの照明部Ｓｉの面発光装置７を電源部１の電流制御回路Ｄｉにより駆動する構成としたが、この実施の形態３では、第１〜第ｎの照明部が、それぞれ、第１コネクタ８の第（ｎ＋１）ピンと第２コネクタ９の第（ｎ＋１）ピンがカソード用ピンであり、第１コネクタ８のカソード用ピンと第２コネクタ９のカソード用ピンとを接続する１本の信号線と、１≦ｊ≦（ｎ−１）とするとき、全てのｊについて、第１コネクタ８の第（ｊ＋１）ピンと第２コネクタ９の第ｊピンとを接続するｎ−１本の信号線と、第１コネクタ８の第１ピンと第２コネクタ９の第ｎピンとを接続する１本の信号線とを有しており、各照明部を接続する、第２〜第ｎのケーブルは、１≦ｋ≦（ｎ＋１）とするとき、全てのｋについて、１つの照明部の第２コネクタ９の第ｋピンと別の照明部の第１コネクタ８の第ｋピンとを接続する信号線を有する構成を用いることにより、１≦ｉ≦ｎとするとき、全てのｉについて、第ｉの照明部Ｓｉの面発光装置７を電源部１の電流制御回路Ｄｉにより駆動するとしたものである。
【００３０】
電源部１及び第１のケーブルＣ１の構成は実施の形態２と同一である。
照明部Ｓ１〜Ｓｎは、互いに同一の構成を有しており、１≦ｉ≦ｎとするとき、全てのｉについて、照明部Ｓｉは、図６に示されるように、面発光装置７を備えると共にそれぞれ（ｎ＋１）ピン構成の第１コネクタ８と第２コネクタ９を備えている。
第１コネクタ８の第１ピンＰＡ１と第２コネクタ９の第ｎピンＰＢｎはそれぞれアノード用ピンとして用いられ、これらアノード用ピンがアノード線ＬＡにより互いに接続されると共に、アノード線ＬＡに面発光装置７の各有機ＥＬ素子のアノード電極が接続されている。
一方、第１コネクタ８の第（ｎ＋１）ピンＰＡｎ＋１及び第２コネクタ９の第（ｎ＋１）ピンＰＢｎ＋１はそれぞれカソード用ピンとして用いられ、これらカソード用ピンがカソード線ＬＣにより互いに接続されると共に、カソード線ＬＣに面発光装置７の各有機ＥＬ素子のカソード電極が接続されている。
【００３１】
また、第１コネクタ８の第２ピン〜第ｎピンＰＡ２〜ＰＡｎ及び第２コネクタ９の第１ピン〜第（ｎ−１）ピンＰＢ１〜ＰＢｎ−１はそれぞれ他の照明部のための連絡用ピンとして用いられ、第１コネクタ８の第２ピンＰＡ２〜第ｎピンＰＡｎがそれぞれ連絡用信号線ＬＭにより第２コネクタ９の第１ピンＰＢ１〜第（ｎ−１）ピンＰＢｎ−１に接続されている。
すなわち、各照明部は、第１コネクタ８のカソード用ピンと第２コネクタ９のカソード用ピンとを接続する１本の信号線と、１≦ｊ≦（ｎ−１）とするとき、全てのｊについて、第１コネクタ８の第（ｊ＋１）ピンと第２コネクタ９の第ｊピンとを接続するｎ−１本の信号線と、第１コネクタ８の第１ピンと第２コネクタ９の第ｎピンとを接続する１本の信号線とを有している。
【００３２】
第１の照明部Ｓ１から第ｎの照明部Ｓｎまでの間を順次接続する第２〜第ｎのケーブルＣ２〜Ｃｎは、互いに同一の構成を有しており、２≦ｉ≦ｎとして第ｉのケーブルＣｉは、図７に示されるように、第１のケーブルＣ１と同様にｎ＋１本の平行な信号線Ｌ１〜Ｌｎ＋１を有している。このようなケーブルＣｉにより、第（ｉ−１）の照明部Ｓｉ−１の第２コネクタ９のｎ＋１個のピンＰＢ１〜ＰＢｎ＋１が、それぞれ、第ｉの照明部Ｓｉの第１コネクタ８のｎ＋１個のピンＰＡ１〜ＰＡｎ＋１に接続される。
【００３３】
以上のような構成のｎ個の照明部Ｓ１〜Ｓｎとｎ本のケーブルＣ１〜Ｃｎを使用することによっても、１≦ｉ≦ｎとすると、全てのｉについて、第ｉの照明部Ｓｉの面発光装置７の各有機ＥＬ素子のアノード電極は、第１〜第ｉのケーブルＣ１〜Ｃｉと第１〜第ｉ−１の照明部Ｓ１〜Ｓｉ−１を介して電源部１の第ｉの電流制御回路Ｄｉの正極に接続され、第ｉの照明部Ｓｉの面発光装置７を電流制御回路Ｄｉにより定電流を供給して発光させることができる。
【００３４】
なお、この実施の形態３においても、第１〜第ｎの照明部Ｓ１〜Ｓｎは互いに共通の構成を有しており、第２〜第ｎのケーブルＣ２〜Ｃｎも互いに共通の構成を有しているので、これら照明部及びケーブルの配置の順序を考慮する必要はない。従って、各照明部Ｓ１〜Ｓｎの配置の自由度が向上する。ただし、この実施の形態３では、上記実施の形態１又は２のように、照明部Ｓ１〜Ｓｎはそれぞれ対称の構造となっていないため、各照明部Ｓ１〜Ｓｎを接続する際には、電源部１に対して第１〜第ｎの照明部Ｓ１〜Ｓｎの接続方向が同じになるように照明部の接続向きに注意する必要がある。
また、この実施の形態３においても、実施の形態１と同様に、装置の使用中において、１≦ｉ≦ｎとすると、全てのｉについて、第ｉのケーブルＣｉを切断して第ｉの照明部Ｓｉ〜第ｎの照明部Ｓｎを切り離したとしても、各照明部に対応する駆動源である電流制御回路はそれぞれ独立しているため、使用中の照明部に過電流が流れて有機ＥＬ素子が劣化してしまうという問題は発生しない。
また、ｒ個の照明部を電源部１に接続して使用している場合に、第（ｒ＋１）のケーブルＣｒ＋１を介して第（ｒ＋１）の照明部Ｓｒ＋１を照明部Ｓｒに接続したとしても、各照明部に対応する駆動源である電流制御回路はそれぞれ独立しているため、使用中の照明部の電流が変化してしまうというような問題は発生しない。
つまり、使用中の照明部に影響を与えることなく、任意の数の照明部を接続して駆動したり、切り離したりすることができる。ただし、電源部１に接続できる照明部の総数は電源部１の電流制御回路の数以下である。
なお、この実施の形態３においても、照明装置はｎ個の電流制御回路を持つ電源部１に対して照明部をｎ個接続して使用する場合に限らず、電流制御回路の数以下であれば任意の数の照明部を接続して使用できる。例えば、照明部Ｓ１のみを接続して使用することも可能である。
【００３５】
実施の形態４
図８に実施の形態４に係る照明装置を示す。この実施の形態４は、上述した実施の形態２において、第１の照明部Ｓ１から第ｎの照明部Ｓｎまでの間を順次接続する第２〜第ｎのケーブルＣ２〜Ｃｎが、１つの照明部の第２コネクタ９のアノード用ピンと別の照明部の第１コネクタ８のピンとを接続する信号線を有していないように構成したものである。
この実施の形態４では、電源部１の電流制御回路の数を４として、この電源部１に第１の照明部Ｓ１〜第４の照明部Ｓ４を接続した場合を例にとって説明する。
【００３６】
電源部１の電源部コネクタ３と第１の照明部Ｓ１の第１コネクタ８とを接続する第１のケーブルＣ１は５本の信号線からなり、これらの信号線により電源部コネクタ３の第１ピン〜第５ピンが第１の照明部Ｓ１の第１コネクタ８の第１ピン〜第５ピンにそれぞれ接続されている。
各照明部Ｓ１〜Ｓ４では、アノード用ピンである第１コネクタ８の第１ピンと第２コネクタ９の第１ピンとがアノード線ＬＡにより互いに接続されると共にアノード線ＬＡに面発光装置７の各有機ＥＬ素子のアノード電極が接続されている。
【００３７】
第１の照明部Ｓ１のアノード線ＬＡは、第１のケーブルＣ１を介して電源部１の電流制御回路Ｄ１の正極に接続されるため、第２〜第４の照明部Ｓ２〜Ｓ４にこの第１の照明部Ｓ１のアノード線ＬＡを接続する必要はない。そこで、第１の照明部Ｓ１と第２の照明部Ｓ２とを接続する第２のケーブルＣ２を、第１のケーブルＣ１より１本少ない４本の信号線で構成している。つまり、第２のケーブルＣ２は、第１の照明部Ｓ１の第２コネクタ９のアノード用ピンと第２の照明部Ｓ２の第１コネクタ８のピンとを接続する信号線を有していない。なお、第３のケーブルＣ３及び、第４のケーブルＣ４も同様の構成である。
【００３８】
上記のような構成としても、照明部Ｓ１〜Ｓ４の面発光装置７の各有機ＥＬ素子のアノード電極は、それぞれ、電源部１の電流制御回路Ｄ１〜Ｄ４の正極に接続され、各照明部Ｓ１〜Ｓ４の面発光装置７を、電流制御回路Ｄ１〜Ｄ４により独立して発光させることができる。
また、第１〜第４の照明部Ｓ１〜Ｓ４は互いに共通の構成を有しており、照明部の配置の順序を考慮する必要はなく、各照明部の第１コネクタ８と第２コネクタ９の接続の順序を考慮する必要もない。従って、各照明部Ｓ１〜Ｓ４の配置の自由度が向上する。ただし、この実施の形態４の場合、第２〜第４のケーブルＣ２〜Ｃ４は、上記実施の形態１のケーブルのように対称の構造になっていないため、照明部Ｓ１〜Ｓ４を接続する際には、電源部１に対して第２〜第４のケーブルＣ２〜Ｃ４の接続方向が同じになるように、ケーブルの接続向きに注意する必要がある。
そして、この実施の形態４においても、実施の形態１と同様に、装置の使用中において、１≦ｉ≦ｎとすると、全てのｉについて、第ｉのケーブルＣｉを切断して第ｉの照明部Ｓｉ〜第ｎの照明部Ｓｎを切り離したとしても、各照明部に対応する駆動源である電流制御回路はそれぞれ独立しているため、使用中の照明部に過電流が流れて有機ＥＬ素子が劣化してしまうという問題は発生しない。
また、ｒ個の照明部を電源部１に接続して使用している場合に、第（ｒ＋１）のケーブルＣｒ＋１を介して第（ｒ＋１）の照明部Ｓｒ＋１を照明部Ｓｒに接続したとしても、各照明部に対応する駆動源である電流制御回路はそれぞれ独立しているため、使用中の照明部の電流が変化してしまうというような問題は発生しない。
つまり、使用中の照明部に影響を与えることなく、任意の数の照明部を接続して駆動したり、切り離したりすることができる。ただし、電源部１に接続できる照明部の総数は電源部１の電流制御回路の数以下である。
なお、照明装置は４個の電流制御回路Ｄ１〜Ｄ４を持つ電源部１に対して照明部を４個接続して使用する場合に限らず、電流制御回路の数以下であれば任意の数の照明部を接続して使用できる。例えば、照明部Ｓ１のみを接続して使用することも可能である。また、電源部１の電流制御回路の数を任意の数のｎ個とすると、最大ｎ個の照明部を接続して同時に使用できる。
【００３９】
実施の形態５
図９に実施の形態５に係る照明装置を示す。この実施の形態５は、上述した実施の形態３において、第１の照明部Ｓ１から第ｎの照明部Ｓｎまでの間を順次接続する第２〜第ｎのケーブルＣ２〜Ｃｎをその信号線が１本ずつ少なくなるように構成したものである。
電源部１の電流制御回路の数を４として、電源部１に第１の照明部Ｓ１〜第４の照明部Ｓ４を接続した場合を例にとって説明する。
【００４０】
電源部１の電源部コネクタ３と第１の照明部Ｓ１の第１コネクタ８とを接続する第１のケーブルＣ１は５本の信号線からなり、これらの信号線により電源部コネクタ３の第１ピン〜第５ピンが第１の照明部Ｓ１の第１コネクタ８の第１ピン〜第５ピンにそれぞれ接続されている。
各照明部Ｓ１〜Ｓ４では、アノード用ピンである第１コネクタ８の第１ピンと第２コネクタ９の第４ピンとがアノード線ＬＡにより互いに接続されると共にアノード線ＬＡに面発光装置７の各有機ＥＬ素子のアノード電極が接続されている。
【００４１】
第１の照明部Ｓ１のアノード線ＬＡは、第１のケーブルＣ１を介して電源部１の電流制御回路Ｄ１の正極に接続されるため、第２〜第４の照明部Ｓ２〜Ｓ４にこの第１の照明部Ｓ１のアノード線ＬＡを接続する必要はない。そこで、第１の照明部Ｓ１と第２の照明部Ｓ２とを接続する第２のケーブルＣ２を、第１のケーブルＣ１より１本少ない４本の信号線で構成している。
このように、第ｉのケーブルＣｉが第１の照明部Ｓ１〜第ｉ−１の照明部Ｓｉ−１のアノード線ＬＡに接続される信号線を有さない構成とすることにより、第ｉのケーブルＣｉは第ｉ−１のケーブルＣｉ−１より１本少ない本数の信号線で済むことになる。従って、図９に示されるように、第３のケーブルＣ３は３本の信号線から構成され、第４のケーブルＣ４は２本の信号線から構成されている。
【００４２】
上記のような構成としても、照明部Ｓ１〜Ｓ４の面発光装置７の各有機ＥＬ素子のアノード電極は、それぞれ電源部１の電流制御回路Ｄ１〜Ｄ４の正極に接続され、照明部Ｓ１〜Ｓ４の面発光装置７を、それぞれ、電流制御回路Ｄ１〜Ｄ４により独立して発光させることができる。
この実施の形態５においても、実施の形態１と同様に、装置の使用中において、１≦ｉ≦ｎとすると、全てのｉについて、第ｉのケーブルＣｉを切断して第ｉの照明部Ｓｉ〜第ｎの照明部Ｓｎを切り離したとしても、各照明部に対応する駆動源である電流制御回路はそれぞれ独立しているため、使用中の照明部に過電流が流れて有機ＥＬ素子が劣化してしまうという問題は発生しない。
また、ｒ個の照明部を電源部１に接続して使用している場合に、第（ｒ＋１）のケーブルＣｒ＋１を介して第（ｒ＋１）の照明部Ｓｒ＋１を照明部Ｓｒに接続したとしても、各照明部に対応する駆動源である電流制御回路はそれぞれ独立しているため、使用中の照明部の電流が変化してしまうというような問題は発生しない。
つまり、使用中の照明部に影響を与えることなく、任意の数の照明部を接続して駆動したり、切り離したりすることができる。ただし、電源部１に接続できる照明部の総数は電源部１の電流制御回路の数以下である。
なお、照明装置は４個の電流制御回路Ｄ１〜Ｄ４を持つ電源部１に対して照明部を４個接続して使用する場合に限らず、電流制御回路の数以下であれば任意の数の照明部を接続して使用できる。例えば、照明部Ｓ１のみを接続して使用することも可能である。また、電源部１の電流制御回路の数を任意の数のｎ個とすると、最大ｎ個の照明部を接続して同時に使用できる。
【００４３】
実施の形態６
図１０に実施の形態６に係る音響装置を示す。この実施の形態６は、本発明を音響装置に適用したもので、複数の駆動源としての増幅回路を有する音源部１１（駆動部）を使用すると共に、負荷としてスピーカ部を使用したものである。
この実施の形態６においては、音源部１１が増幅回路Ａ１，Ａ２を２個備える構成としているため、この音源部１１に接続できるスピーカ部の最大数は２となっている。この実施の形態６では、音響装置はステレオ再生装置であり増幅回路Ａ１，Ａ２は、それぞれ、左チャンネル（Ｌ）及び右チャンネル（Ｒ）に対応している。
ただし、音源部１１の増幅回路の数は２個に限らず、例えば、増幅回路の数をｎ個とすると、音源部１１に接続できるスピーカ部の数は、ｎ以下の任意の数とすることができる。
【００４４】
音源部１１から第ｎのスピーカ部Ｔｎまでの間は、実施の形態２で使用されたものと同じ構成の第１のケーブルＣ１及び第２のケーブルＣ２により順次接続されている。
【００４５】
音源部１１の増幅回路Ａ１，Ａ２は第１，第２のスピーカ部Ｔ１，Ｔ２にそれぞれ対応しており、これら増幅回路Ａ１，Ａ２の正極がそれぞれ音源部コネクタ１２の第１，第２ピンに接続されている。また、増幅回路Ａ１，Ａ２の負極は、上記実施の形態１のようには、互いに電気的に連結されておらず、それぞれ音源部コネクタ１２の第３，第４ピンに接続されている。
【００４６】
スピーカ部Ｔ１，Ｔ２は、互いに同一の構成を有している。ここで、例えば、１≦ｉ≦２とすると、スピーカ部Ｔｉは図１１に示されるように、スピーカ１３を備えると共にそれぞれ４ピン構成の第１コネクタ１４と第２コネクタ１５を備えている。
第１コネクタ１４の第１ピンＰＡ１及び第２コネクタ１５の第１ピンＰＢ１はそれぞれ正極用ピンとして用いられ、これら正極用ピンが正極線ＬＡにより互いに接続されると共に正極線ＬＡにスピーカ１３の正極電極が接続されている。
一方、第１コネクタ１４の第３ピンＰＡ３及び第２コネクタ１５の第３ピンＰＢ３はそれぞれ負極用ピンとして用いられ、これら負極用ピンが負極線ＬＣにより互いに接続されると共に負極線ＬＣにスピーカ１３の負極電極が接続されている。
【００４７】
また、第１コネクタ１４の第２ピンＰＡ２及び第２コネクタ１５の第２ピンＰＢ２はそれぞれ他のスピーカ部のための正極連絡用ピンとして用いられ、互いに対応する第１コネクタ１４の連絡用ピンと第２コネクタ１５の連絡用ピンがそれぞれ連絡用信号線ＬＭにより互いに接続されている。そして、第１コネクタ１４の第４ピンＰＡ４及び第２コネクタ１５の第４ピンＰＢ４はそれぞれ他のスピーカ部のための負極連絡用ピンとして用いられ、互いに対応する第１コネクタ１４の連絡用ピンと第２コネクタ１５の連絡用ピンがそれぞれ連絡用信号線ＬＭにより互いに接続されている。
すなわち、各スピーカ部では、それぞれ、１≦ｊ≦２ｎとするとき、全てのｊについて、第１コネクタ１４の第ｊピンと前記第２コネクタ１５の第ｊピンとが信号線により接続され、前記第１ピンが正極用ピンであり、第３ピンが負極用ピンである。
【００４８】
音源部１１の音源部コネクタ１２と第１のスピーカ部Ｔ１の第１コネクタ１４とを接続する第１のケーブルＣ１は４本の信号線からなり、これらの信号線により音源部コネクタ１２の第１ピン〜第４ピンが第１のスピーカ部Ｔ１の第１コネクタ１４の第１ピンＰＡ１〜第４ピンＰＡ４にそれぞれ接続されている。
【００４９】
一方、第１のスピーカ部Ｔ１と第２のスピーカ部Ｔ２の間を接続する第２のケーブルＣ２は、第１のケーブルＣ１と構成が異なり、スピーカ部Ｔ１の第２コネクタ１５の第３ピンＰＢ３とスピーカ部Ｔ２の第１コネクタ１４の第４ピンＰＡ４とを接続する１本の信号線と、スピーカ部Ｔ１の第２コネクタ１５の第４ピンＰＢ４とスピーカ部Ｔ２の第１コネクタ１４の第３ピンＰＡ３とを接続する１本の信号線と、スピーカ部Ｔ１の第２コネクタ１５の第１ピンＰＢ１とスピーカ部Ｔ２の第１コネクタ１４の第２ピンＰＡ２とを接続する１本の信号線と、スピーカ部Ｔ１の第２コネクタ１５の第２ピンＰＢ２とスピーカ部Ｔ２の第１コネクタ１４の第１ピンＰＡ１とを接続する１本の信号線とを有する。
すなわち、第２のケーブルＣ２は、１≦ｋ≦（ｎ−１）とするとき、全てのｋについて、１つのスピーカ部の第２コネクタ１５の第（ｋ＋１）ピンと別のスピーカ部の第１コネクタ１４の第ｋピンとを接続するｎ−１本の信号線と、前記１つのスピーカ部の第２コネクタ１５の第１ピンと前記別のスピーカ部の第１コネクタ１４の第ｎピンとを接続する１本の信号線とを有し、更に、（ｎ＋１）≦ｐ≦（２ｎ−１）とするとき、全てのｐについて、前記１つのスピーカ部の第２コネクタ１５の第（ｐ＋１）ピンと前記別のスピーカ部の第１コネクタ１４の第ｐピンとを接続するｎ−１本の信号線と、前記１つのスピーカ部の第２コネクタ１５の第（ｎ＋１）ピンと前記別のスピーカ部の第１コネクタ１４の第２ｎピンとを接続する１本の信号線とを有する。
【００５０】
以上のような構成を使用することにより、第１のスピーカ部Ｔ１のスピーカ１３の正極電極は、第１のケーブルＣ１を介して音源部１１の第１の増幅回路Ａ１の正極に接続される。また、第２のスピーカ部Ｔ２のスピーカ１３の正極電極は、第２のケーブルＣ２、第１のスピーカ部Ｔ１、第１のケーブルＣ１を介して音源部１１の第２の増幅回路Ａ２の正極に接続される。
そして、第１のスピーカ部Ｔ１のスピーカ１３の負極電極は、第１のケーブルＣ１を介して音源部１１の第１の増幅回路Ａ１の負極に接続され、第２のスピーカ部Ｔ２のスピーカ１３の負極電極は、第２のケーブルＣ２、第１のスピーカ部Ｔ１、第１のケーブルＣ１を介して音源部１１の第２の増幅回路Ａ２の負極に接続される。
このため、各スピーカ部Ｔ１，Ｔ２には、それぞれ、音源部１１の増幅回路Ａ１，Ａ２より音声信号を供給することができる。
【００５１】
第１，第２のスピーカ部Ｔ１，Ｔ２は互いに共通の構成を有しているので、これらスピーカ部の配置の順序を考慮する必要はなく、また各スピーカ部の第１コネクタ１４と第２コネクタ１５の接続の順序を考慮する必要もない。従って、各スピーカ部Ｔ１，Ｔ２の配置の自由度が向上する。
また、音源部１１とスピーカ部Ｔ１を接続する第１のケーブルＣ１は、第２のケーブルＣ２と同様の構成であってもよい。この構成の第１のケーブルＣ１を使用した場合は、第１のケーブルと第２のケーブルも入れ替えることが可能となり、接続の自由度がさらに広がる。さらに、各ケーブルＣ１，Ｃ２は対称の構成となっているため、スピーカ部への接続向きに制限を受けないという利点も発生する。
なお、各スピーカ部Ｔ１，Ｔ２に対応する駆動源である増幅回路Ａ１，Ａ２はそれぞれ独立しているため、音響装置の使用中において、第１のスピーカ部Ｔ１に影響を与えることなく、自由に第２のケーブルＣ２を切断して第２のスピーカ部Ｔ２を切り離すことができる。
さらに、第１のスピーカ部Ｔ１を単独で使用している場合において、第２のケーブルＣ２を介して第２のスピーカ部Ｔ２を第１のスピーカ部Ｔ１に接続して駆動させたとしても、各スピーカ部Ｔ１，Ｔ２に対応する駆動源である増幅回路Ａ１，Ａ２は、それぞれ独立しているため、あらかじめ駆動されている第１のスピーカ部Ｔ１に影響を与えることがない。
また、この実施の形態６において、音響装置は音源部１１に対してスピーカ部を２つ接続して使用する場合に限らず、例えば、スピーカ部Ｔ１のみを接続して使用することも可能である。
【００５２】
なお、上述した実施の形態１〜５の照明装置に対しても、同様に、電源部１の代わりに音源部１１を使用すると共に、第１〜第ｎの照明部Ｓ１〜Ｓｎの代わりに第１〜第ｎのスピーカ部Ｔ１〜Ｔｎを使用して音響装置を構成することもできる。例えば、実施の形態３の照明装置を音響装置に置き換えた実施例を図１２に示す。（ただし、この実施例においては、負極線は共通となっていない。）
【００５３】
また、実施の形態１〜５の照明装置において、各照明部の負極線を互いに接続し、共通の負極線として電源部１に接続したが、これに限るものではなく、照明部Ｓ１〜Ｓｎの負極線をそれぞれ独立して電源部１に接続するように構成してもよい。この場合、実施の形態６のように、各ケーブルの信号線は独立させた負極線の本数だけ増えることになる。
【００５４】
さらに、この発明は、照明装置及び音響装置だけでなく、複数の負荷をそれぞれ対応する複数の駆動源で駆動する駆動装置に広く適用することができる。
【図面の簡単な説明】
【００５５】
【図１】この発明の実施の形態１に係る照明装置の構成を示す回路図である。
【図２】実施の形態２に係る照明装置の構成を示す回路図である。
【図３】実施の形態２で用いられた照明部内の信号線の配線構成を示す図である。
【図４】実施の形態２で用いられたケーブル内の信号線の配線構成を示す図である。
【図５】実施の形態３に係る照明装置の構成を示す回路図である。
【図６】実施の形態３で用いられた照明部内の信号線の配線構成を示す図である。
【図７】実施の形態３で用いられたケーブル内の信号線の配線構成を示す図である。
【図８】実施の形態４に係る照明装置の構成を示す回路図である。
【図９】実施の形態５に係る照明装置の構成を示す回路図である。
【図１０】実施の形態６に係る音響装置の構成を示す回路図である。
【図１１】実施の形態６で用いられたスピーカ部内の信号線の配線構成を示す図である。
【図１２】他の実施例の音響装置の構成を示す回路図である。
【符号の説明】
【００５６】
１  電源部、２  ＡＣ／ＤＣコンバータ、３  電源部コネクタ、４  調節スイッチ、５  筐体、６  有機ＥＬ素子、７  面発光装置、８，１４  第１コネクタ、９，１５  第２コネクタ、１１  音源部、１２  音源部コネクタ、１３  スピーカ、Ｓ１〜Ｓｎ  照明部、Ｃ１〜Ｃｎ  ケーブル、Ｄ１〜Ｄｎ  電流制御回路、ＬＡ  アノード（正極）線、ＬＣ  カソード（負極）線、ＬＭ  連絡用信号線、Ｌ１１〜Ｌ１３，Ｌ２１〜Ｌ２３，Ｌ１〜Ｌｎ＋１  信号線、Ｔ１〜Ｔｎ  スピーカ部、Ａ１〜Ａｎ  増幅回路、ＰＡ１〜ＰＡ２ｎ，ＰＢ１〜ＰＢ２ｎ  ピン。
【図１】
2006324208.tif 000003
【図２】
2006324208.tif 000004
【図３】
2006324208.tif 000005
【図４】
2006324208.tif 000006
【図５】
2006324208.tif 000007
【図６】
2006324208.tif 000008
【図７】
2006324208.tif 000009
【図８】
2006324208.tif 000010
【図９】
2006324208.tif 000011
【図１０】
2006324208.tif 000012
【図１１】
2006324208.tif 000013
【図１２】
2006324208.tif 000014